(57)【要約】【課題】ドロップ光ファイバーケーブルを家屋へ引込む際に、ドロップ光ファイバーケーブルの支持線の支持が容易で、かつ、ケーブル本体の弛みを少なくできるドロップ光ファイバーケーブル支持線支持具を提供する。【解決手段】ドロップ光ファイバーケーブルの支持線支持具１であって、一端側に掛け部９、１１が形成された長い支持具本体３を備え、支持具本体３にはドロップ光ファイバーケーブルの支持線ｃｂ２を止めるための複数の突出部（５、７）が形成される。そして、各突出部（５、７）は楕円柱であり、各楕円柱は長軸方向が支持具本体３の長手方向と平行になるように配置され、支持線ｃｂ２を各楕円柱である突出部（５、７）の間を交互に通すことにより支持線ｃｂ２を係止する。さらに、突出部の間隔、形状を変えることにより係止力を変化させる。【選択図】図１
2012222862.tif 000002
【特許請求の範囲】
【請求項１】
ケーブル用支持線支持具であって、一端側に掛け部が形成された長い支持具本体を備え、前記支持具本体には光ファイバーケーブルの支持線を止めるための複数の突出部が形成され、前記各突出部は特定の曲面を有し、前記支持線を各突出部の間を交互に通すことにより前記支持線は各特定の曲面に接触し係止するものであり、
前記突出部の間隔、形状を変えることにより係止力を変化させることを特徴とするケーブル用支持線支持具。
【請求項２】
前記各突出部は外周の樹脂で楕円柱に形成され、前記各楕円柱は長軸方向が前記支持具本体の長手方向と平行になるように配置され、支持線を各楕円柱の間を交互に通すことを特徴とする請求項１に記載のケーブル用支持線支持具。
【請求項３】
前記各突出部の先端は、前記支持線の外れを防止する外れ防止部を有することを特徴とする請求項１または２に記載のケーブル用支持線支持具。
【請求項４】
前記支持具本体と前記各突出部により櫛状を構成することを特徴とする請求項１から３のいずれか１項に記載のケーブル用支持線支持具。
【発明の詳細な説明】
【技術分野】
【０００１】
この発明は、ケーブル用支持線支持具に係り、さらに詳細には、架空のケーブル支持線に沿って支持されたドロップ光ファイバーケーブルなどの光ファイバケーブルを家屋などに引き込む際に、ドロップ光ファイバーケーブルの光ファイバ心線に、過度な張力が掛からないように、ケーブル本体に沿って設けられた支持線（硬鋼線材）を支持するために使用するケーブル用支持線支持具に関する。
【背景技術】
【０００２】
ドロップ光ファイバーケーブルｃｂは、図７に一例を示すように、ケーブル本体ｃｂ１に沿って鋼製の支持線ｃｂ２（硬鋼線材）を一体化した自己支持型の構造になっており、前記ケーブル本体ｃｂ１の内部には、単心光ファイバー心線ｃｂ１ａが、テンションメンバｃｂ１ｂの内側に配置されており、引込み工事の際には、支持線ｃｂ２の方を引張って支持することにより、ケーブル本体ｃｂ１に不要な張力が掛かったり、ケーブル本体ｃｂ１が折れ曲がったりすることを防止しながら敷設できる。
【０００３】
すなわち、前記付設の際に、架空のケーブル支持線からの引込み位置で、支持線ｃｂ２は支持線に架けられたハンガー金具に掛け止めたケーブル用支持線支持具に支持されるが、このケーブル用支持線支持具には、様々な形状のものががあり、支持線ｃｂ２の止め方もそれぞれ異なる。
【０００４】
例えば、特許文献１を参照。
【先行技術文献】
【特許文献】
【０００５】
【特許文献１】特開２００３−３１９５４０号
【発明の概要】
【発明が解決しようとする課題】
【０００６】
しかし、従来の支持線支持金具では、例えば、柔軟ではない支持線を、支持線支持金具の巻掛け部の溝部に巻掛け、巻き付け部の周りに巻き付けるタイプの場合は、作業が煩雑であり、引込み工事を多数行う場合には、作業負荷が著しく増大するものである。
【０００７】
一方、特許文献１のように支持線を止める作業を簡単にするため工夫されたものがあるが、支持線を係止する部分はワイヤーで形成されているため滑り易く、かつ、支持線に掛かる圧力も一局に集中し易く支持線に損傷を与えやすいものである。
【０００８】
そこで、この発明の課題はドロップ光ファイバーケーブルを家屋へ引込む際に、その作業が容易であると共に、支持線への面圧を低減させ損傷を緩和し、さらに係止に優れたドロップ光ファイバーケーブル用の支持線支持具を提供することである。
【課題を解決するための手段】
【０００９】
本発明は、前述のごとき問題に鑑みてなされたもので請求項１に係る発明は、ケーブル用支持線支持具であって、一端側に掛け部が形成された長い支持具本体を備え、前記支持具本体には光ファイバーケーブルの支持線を止めるための複数の突出部が形成され、前記各突出部は特定の曲面を有し、前記支持線を各突出部の間を交互に通すことにより前記支持線は各特定の曲面に接触し係止するものであり、前記突出部の間隔、形状を変えることにより係止力を変化させるケーブル用支持線支持具である。
【００１０】
請求項２に係る発明は、前記各突出部は外周の樹脂で楕円柱に形成され、前記各楕円柱は長軸方向が前記支持具本体の長手方向と平行になるように配置され、支持線を各楕円柱の間を交互に通す請求項１に記載のケーブル用支持線支持具である。
【００１１】
請求項３に係る発明は、前記各突出部の先端は、前記支持線の外れを防止する外れ防止部を有する請求項１または２に記載のケーブル用支持線支持具である。
【００１２】
請求項４に係る発明は、前記支持具本体と前記各突出部により櫛状を構成する請求項１から３のいずれか１項に記載のケーブル用支持線支持具である。
【発明の効果】
【００１３】
ケーブル用支持線支持具の各突出部は特定の曲面を有し、支持線を各突出部の間を交互に通すことにより支持線は各特定の曲面に接触し係止でき、ドロップ光ファイバーケーブル等を家屋などに引込む際に、その作業が容易であると共に、支持線の損傷を緩和し、さらに係止に優れる効果を奏する。
【図面の簡単な説明】
【００１４】
【図１】ケーブル用支持線支持具を説明する斜視図である。
【図２】ケーブル用支持線支持具を説明する斜視図である。
【図３】（ａ）、（ｂ）、（ｃ）は支持線支持部を説明する説明図である。
【図４】ケーブル用支持線支持具の製造方法を説明する説明図である。
【図５】ドロップ光ファイバ−ケーブルの家屋への配線を説明する説明図である。
【図６】ドロップ光ファイバ−ケーブルの家屋への配線を説明する説明図である。
【図７】ドロップ光ファイバーケーブルの構造を説明する説明図である。
【発明を実施するための形態】
【００１５】
この発明を実施するための形態を、図面を参照して説明する。なお、本実施形態では、光ファイバーケーブルがドロップ光ファイバーケーブルｃｂの場合を想定し説明する。
【００１６】
図１及び２を参照する。ケーブル用支持線支持具１であって、一端側に掛け部９、１１が形成された長い支持具本体３を備える。そして、支持具本体３にはドロップ光ファイバーケーブルｃｂの支持線ｃｂ２を止めるための複数の突出部５、７が形成される（本実施の形態では５箇所に形成されている）。
【００１７】
そして、突出部５、７の内で突出部７は外形が特定の曲面を有し、支持線ｃｂ２を各突出部７の間を交互に通すことにより支持線ｃｂ２は各特定の曲面に接触し係止する。ここで、交互に通すとは、図２に示すように１つ目の突出部５、７の一方側（図２で下側）を通り、続いて、２つめの突出部５、７の他方側（図２で上側）を通り、さらに、一方側（図２で下側）、他方側（図２で上側）とジグザグに蛇行させ通すことをいう。
【００１８】
また、特定の曲面とは、支持線ｃｂ２を交互に通した場合に支持線ｃｂ２の引っ張り力（図２において支持線ｃｂ２の矢印ＡＲ１方向の引っ張り力）に対抗できると共に圧力が集中しないような曲率の小さい（半径Ｒが大きい）曲面をいう。ここで、曲率とは、ｋ（曲率）＝１／Ｒ（半径）で表されるものである。
【００１９】
換言すれば、曲率の小さい曲面に接触している支持線ｃｂ２は、曲面への接触面積が広いため支持線ｃｂ２に対する面圧が緩和され損傷等が回避されると共に引っ張り力（図２において支持線ｃｂ２の矢印ＡＲ１方向の引っ張り力）に対し対抗できる。なお、本実施の形態において、曲率が小さい、大きいの基準は、曲面において曲率が変化する場合に相対的に曲率が大きい箇所、小さい箇所をいう。具体的には、各突出部７は楕円柱であり、各楕円柱は、長軸（例えば、長軸は短軸の２倍の長さ）方向（図１、２において左右方向）が支持具本体の長手方向（図１、２において左右方向）と平行になるように配置されるため、支持線ｃｂ２を各楕円柱の間を交互に通すことにより、曲率の小さい箇所に支持線ｃｂ２は広い範囲で接触し係止され面圧が緩和される。
【００２０】
一方、上述した係止することの物理的な作用は一般的に知られていることなので詳しい説明は省略するが、一例を説明する。図２に示すように、支持線ｃｂ２には、支持線ｃｂ２の蛇行する方向と同じ方向には、引っ張り力「Ｆ」が働く。「Ｆ」と「Ｆ１」の角度をθとすると、この引っ張り力「Ｆ」は、突出部７側に「Ｆ×Ｓｉｎθ」の大きさ「Ｆ２」で作用するので、静摩擦係数をμ（０．１５〜０．２５）とすると、「μ×Ｆ２」の値に応じた係止力があるものである。なお、上述の作用の他に、一般的に知られている物理的な作用も発生することは勿論である。
【００２１】
本願発明は、上述のように一般的な物理的作用が発生するので、突出部７の間隔（図２において突起部７間のピッチＰ）、及び、形状（図３（ａ）、（ｂ）において楕円柱のＡ寸法とＢ寸法）を、それぞれ任意に変えることにより静摩擦力が変化し係止力を自由にコントロールすることが可能である。
【００２２】
図３（ａ）、（ｂ）を参照する。なお、図３（ｂ）は、図３（ａ）を矢印ＡＲ２方向からみた形状を示す。例えば、各突出部５、７の内で外周の突出部７は樹脂（熱可塑性をもつ合成樹脂、例えばポリエチレン・ポリプロピレン・ポリ塩化ビニル・ふっそ樹脂・ポリアセタール等）である。形状は楕円柱であり、例えば長軸Ａは１０（ｍｍ）であるのに対し、短軸Ｂは５〜６（ｍｍ）であることが望ましい。一方、ピッチＰは１４（ｍｍ）〜１８（ｍｍ）であることが望ましい。
【００２３】
図３（ｃ）に示すように、突出部７は支持線ｃｂ２の外れを防止する外れ防止部７Ｆを有することが望ましい。これにより、一旦支持線ｃｂ２を突出部５、７に掛けたら外れることを防止することができる。ここで、寸法Ｄ１は、支持線ｃｂ２の外形より十分に大きいと共に、寸法Ｄ２は支持線ｃｂ２の外形より僅かに大きいことが望ましい。さらに、各突出部５、７は櫛状に配置されていることが望ましい。すなわち、図１、２に示すように、前記支持具本体３と前記各突出部５、７により櫛状を構成することが望ましい。
【００２４】
図４を参照する。ケーブル用支持線支持具１の製造方法を示す。ケーブル用支持線支持具１は、初めに、プレス工程ＰＰにより金属（例えばスチール材）の板をプレス金型で切り欠き製品の外形を形成する。続いて、突出部５に対し、モールド・インサート射出成形工程ＭＰが行われ外周に楕円柱の突起部７（樹脂）が形成される。そして、完成した物に所定の検査工程ＩＰが行われ検査の結果、精度等が許容値のものが製品となる。
【００２５】
図５を参照する。地面に立設した複数の支柱１３には支持部材１５がそれぞれ備えられている。この支持部材１５には、支持線１７が支持されている。ドロップ光ファイバーケーブルｃｂは、ケーブル用ハンガー１９等を介して、支持線１７に沿って支持されている。
【００２６】
上述のように、ドロップ光ファイバーケーブルｃｂは、ケーブル本体ｃｂ１に沿って鋼製の支持線ｃｂ２（硬鋼線材）を一体化した自己支持型の構造になっており、前記ケーブル本体ｃｂ１の内部には、単心光ファイバー心線ｃｂ１ａが、テンションメンバｃｂ１ｂの内側に配置されている（図７参照）
一方、引込み工事の際には、引き込み付近（家屋Ｈａ、Ｈｂ、Ｈｃの内で家屋Ｈａ付近）でドロップ光ファイバーケーブルｃｂのケーブル本体ｃｂ１から鋼製の支持線ｃｂ２（硬鋼線材）を分離させ、支持線ｃｂ２の方をケーブル用支持線支持具１により引張って支持することにより、ケーブル本体ｃｂ１に不要な張力が掛かったり、ケーブル本体ｃｂ１が折れ曲がったりすることを防止して、ドロップ光ファイバーケーブルｃｂを敷設できる。
【００２７】
より具体的には、架空のケーブル支持線１７からの引込み位置で、支持線１７に架けられた分線金物等２１に掛け止めたケーブル用支持線支持具１に支持線ｃｂ２を係止させる。これにより、ドロップ光ファイバーケーブルｃｂは支持線ｃｂ２及びケーブル用支持線支持具１を介し支持線１７支持され、住宅Ｈａの宅内へ引込まれていることになる。
【００２８】
図６を参照する。屋内に引き込まれたドロップ光ファイバーケーブルｃｂは、ケーブル本体ｃｂ１から支持線ｃｂ２（硬鋼線材）が分離され、支持線ｃｂ２の方を、家屋内の梁２３に打ち込まれた止め金具２５に掛けられたケーブル用支持線支持具１により引張って支持することにより、ケーブル本体ｃｂ１に不要な張力が掛かったり、ケーブル本体ｃｂ１が折れ曲がったりすることを防止すると共に、ケーブル用支持線支持具１により目的の機器等に案内し接続する。
【００２９】
この発明は前述の発明の実施の形態に限定されることなく、適宜な変更を行うことにより、その他の態様で実施し得るものである。
【符号の説明】
【００３０】
１  ケーブル用支持線支持具
３  支持具本体
５  突出部
７  突出部（樹脂）
９  掛け部
１１  掛け部
ｃｂ  ドロップ光ファイバーケーブル
ｃｂ１  ケーブル本体
ｃｂ２  支持線
ｃｂ１ａ  光ファイバー心線
ｃｂ１ｂ  テンションメンバ
【図１】
2012222862.tif 000003
【図２】
2012222862.tif 000004
【図３】
2012222862.tif 000005
【図４】
2012222862.tif 000006
【図５】
2012222862.tif 000007
【図６】
2012222862.tif 000008
【図７】
2012222862.tif 000009